(57)【要約】【課題】広角端の画角が１１０°を超えることができ、２倍以上のズーム比を実現し、さらに広角端の焦点距離の３．７倍以上のバックフォーカスを有する広角ズームレンズを提供すること。【解決手段】物体から順に、負の屈折力の第１レンズ群、正の屈折力の第２レンズ群、負の屈折力の第３レンズ群、正の屈折力の第４レンズ群を有し、各レンズ群を移動させて変倍を行い、前記第１レンズ群は、負の屈折力の第１レンズ群の前群レンズ群及び負の屈折力の第１レンズ群の後群レンズ群で構成し、第１レンズ群と第２、３レンズ群の合成群の焦点距離及び群間間隔が以下の条件式を満たすことを特徴とする広角ズームレンズ。条件式（１）  1.95  ≦  (E4w−F123w)／F4  ≦  3.7  但し、F123w：無限遠での広角端の第1、2、3レンズ群の合成群の焦点距離  F4：第４群の焦点距離  E4w：広角端での第1，2，3群の合成群の像側主点位置と第4群の物体側主点位置の間隔【選択図】図１
2010249957.tif 000002
【特許請求の範囲】
【請求項１】
物体から順に、負の屈折力の第１レンズ群、正の屈折力の第２レンズ群、負の屈折力の第３レンズ群、正の屈折力の第４レンズ群を有し、各レンズ群を移動させて変倍を行い、前記第１レンズ群は、負の屈折力の第１レンズ群の前群レンズ群及び負の屈折力の第１レンズ群の後群レンズ群で構成し、無限遠物体から近距離へのフォーカシングを第１レンズ群の後群レンズ群を物体側へ移動させて行い、第１レンズ群と第２、３レンズ群の合成群の焦点距離及び群間間隔が以下の条件式を満たすことを特徴とする広角ズームレンズ。
条件式（１）  1.95  ≦  (E4w−F123w)／F4  ≦  3.7
但し、F123w：無限遠での広角端の第1、2、3レンズ群の合成群の焦点距離
F4 ：第４群の焦点距離
E4w：広角端での第1，2，3群の合成群の像側主点位置と第4群の物体側主点位置の間隔
【請求項２】
物体から順に、負の屈折力の第１レンズ群、正の屈折力の第２レンズ群、負の屈折力の第３レンズ群、正の屈折力の第４レンズ群を有し、各レンズ群を移動させて変倍を行い、前記第１レンズ群は、負の屈折力の第１レンズ群の前群レンズ群及び負の屈折力の第１レンズ群の後群レンズ群で構成し、無限遠物体から近距離へのフォーカシングを第１レンズ群の後群レンズ群を物体側へ移動させて行い、第１レンズ群と第２、３レンズ群の合成群の焦点距離及び群間間隔が以下の条件式を満たすことを特徴とする広角ズームレンズ。
条件式（２）    0.5  ≦  (−F123w)／F4  ≦  0.85
【請求項３】
さらに、
条件式（２）  0.5  ≦  (−F123w)／F4  ≦  0.85
を満たすことを特徴とする請求項１に記載の広角ズームレンズ。
【請求項４】
さらに、
条件式（３）  20  ≦  Fw＊(E4w−F123w)／F4  ≦  38
を満たすことを特徴とする請求項１ないし３のうちの一項に記載の広角ズームレンズ。
但し、Fw：広角端で光学全系の焦点距離
【請求項５】
さらに、
条件式（４）      F23w／（−F1）  ≧  6.5
を満たすことを特徴とする請求項１ないし３のうちの一項に記載の広角ズームレンズ。
但し、F23w：広角端での第2レンズ群と第3レンズ群の合成焦点距離
F1：無限遠の第1レンズ群の焦点距離
【請求項６】
負の屈折力を有する第１レンズ群は、負の屈折力の第１レンズ群の前群レンズ群及び負の屈折力の第１レンズ群の後群レンズ群からなり、無限遠物体から近距離へのフォーカシングを前記第１レンズ群の後群レンズ群を物体側へ移動させることを特徴とする請求項１ないし５のうちの一項に記載の広角ズームレンズ。
【請求項７】
前記第１レンズ群の最も物体側のレンズを像側に凹面を向けた負メニスカスレンズとした請求項１ないし６のうちの一項に記載の広角ズームレンズ。
【発明の詳細な説明】
【技術分野】
【０００１】
本発明は、広角ズームレンズ、さらに詳しくは、一眼レフデジタルカメラ用の超広角で、ズーム比２．０倍を超える広角ズームレンズに関する。
【背景技術】
【０００２】
従来の一眼レフレックスカメラ用超広角ズームレンズとしては、物体側から像側へ順に、負の屈折力の第１レンズ群、正の屈折力の第２レンズ群、負の屈折力の第３レンズ群、正の屈折力の第４レンズ群を有し、広角端より望遠端へのズーミングに際し、前記第１レンズ群と第２レンズ群の間隔が減少し、前記第２レンズ群と第３レンズ群の間隔が増大し、前記第３レンズ群と第４レンズ群の間隔が減少するズームレンズであって、広角端におけるバックフォーカスをｂｆｗ、広角端における全系の焦点距離をｆｗ、第２レンズ群と第４レンズ群の焦点距離を各々ｆ２，ｆ４とするとき、
２．９＜ｂｆｗ／ｆｗ＜５．０
３．１＜ｆ４／ｆｗ＜４．５
０．１＜ｆｗ／ｆ２＜０．４２
なる条件を満足することを特徴とするズームレンズが提案されている（例えば、特許文献１参照）。
【先行技術文献】
【特許文献】
【０００３】
【特許文献１】特開２００６−０３９５３１号広報
【０００４】
これらの従来の広角ズームレンズは、負、正、負、正の屈折力を持つレンズ群からなる４群ズームレンズタイプである。これらの従来の広角ズームレンズにおいては、広角端の画角が１００°を超えると共に、２倍以上のズーム比を実現しようとしている。すなわち、特許文献１は、広角端の画角は１０４°程度、ズーム比２．２２程度ズームレンズが開示されている。
【発明の開示】
【発明が解決しようとする課題】
【０００５】
これら従来の広角ズームレンズには、特許文献１によって提案されているズームレンズは、広角端の画角が１０５°程度であり、前枠の有効径を小さく抑えることができ、また長いバックフォーカスを得ることができる利点を有している。しかしながら、さらに広い画角と広角端焦点距離の３．７倍以上のバックフォーカスを実現することは困難である。
【０００６】
（発明の目的）
本発明は、これらの従来例の広角ズームレンズの上述した問題点に鑑みてなされたものであって、広角端の画角が１１０°を超えることができ、２倍以上のズーム比を実現し、さらに広角端の焦点距離の３．７倍以上のバックフォーカスを有する広角ズームレンズを提供することを目的とする。
【課題を解決するための手段】
【０００７】
第１発明は、
物体から順に、負の屈折力の第１レンズ群、正の屈折力の第２レンズ群、負の屈折力の第３レンズ群、正の屈折力の第４レンズ群を有し、各レンズ群を移動させて変倍を行い、前記第１レンズ群は、負の屈折力の第１レンズ群の前群レンズ群及び負の屈折力の第１レンズ群の後群レンズ群で構成し、無限遠物体から近距離へのフォーカシングを第１レンズ群の後群レンズ群を物体側へ移動させて行い、第１レンズ群と第２、３レンズ群の合成群の焦点距離及び群間間隔が以下の条件式を満たすことを特徴とする広角ズームレンズ。
条件式（１）  1.95  ≦  (E4w−F123w)／F4  ≦  3.7
但し、F123w：無限遠での広角端の第1、2、3レンズ群の合成群の焦点距離
F4 ：第４群の焦点距離
E4w：広角端での第1，2，3群の合成群の像側主点位置と第4群の物体側主点位置の間隔
である。
【０００８】
第２発明は、
物体から順に、負の屈折力の第１レンズ群、正の屈折力の第２レンズ群、負の屈折力の第３レンズ群、正の屈折力の第４レンズ群を有し、各レンズ群を移動させて変倍を行い、前記第１レンズ群は、負の屈折力の第１レンズ群の前群レンズ群及び負の屈折力の第１レンズ群の後群レンズ群で構成し、無限遠物体から近距離へのフォーカシングを第１レンズ群の後群レンズ群を物体側へ移動させて行い、第１レンズ群と第２、３レンズ群の合成群の焦点距離及び群間間隔が以下の条件式を満たすことを特徴とする広角ズームレンズ。
条件式（２）  0.5  ≦  (−F123w)／F4  ≦  0.85
である。
【０００９】
本発明の実施態様は、以下のとおりである。
さらに、
条件式（２）  0.5  ≦  (−F123w)／F4  ≦  0.85
を満たすことを特徴とする。
【００１０】
さらに、
条件式（３）  20  ≦  Fw＊(E4w−F123w)／F4  ≦  38
を満たすことを特徴とする。  但し、Fw：広角端で光学全系の焦点距離
【００１１】
さらに、
条件式（４）    F23w／（−F1）  ≧  6.5
を満たすことを特徴とする。
但し、F23w：広角端での第2レンズ群と第3レンズ群の合成焦点距離
F1：無限遠における第1レンズ群の焦点距離
【００１２】
負の屈折力を有する第１レンズ群は、負の屈折力の第１レンズ群の前群レンズ群及び負の屈折力の第１レンズ群の後群レンズ群からなり、無限遠物体から近距離へのフォーカシングを前記第１レンズ群の後群レンズ群を物体側へ移動させることを特徴とする。
【００１３】
前記第１レンズ群の最も物体側のレンズを像側に凹面を向けた負メニスカスレンズとしたことを特徴とする。
【００１４】
（発明の条件式の説明）
条件式（１）は、広角端で第１レンズ群、第２レンズ群と第３レンズ群の合成群の焦点距離と第４群の焦点距離の比率及び位置関係を規定した、条件式（１）の下限を超えると、長バックフォーカスは達成し易いが、１１０°の画角を実現することが困難となる、条件式（１）を超えると、１１０°の画角を達成し易いが、長いバックフォーカスを実現することが困難となる。その結果、広角端のコマ収差と歪曲収差の補正が困難になる。
条件式（１）を、  3.0  ≦  (E4w−F123w)／F4  ≦  3.5
とすると、本発明の効果をより確実なものとすることができる。
【００１５】
条件式（２）は、広角端で第２、３群の合成群の焦点距離と第１群の焦点距離の比率を規定した。条件式（２）の下限を超えると、広角端で、第２、３群合成群のパワー（パワー＝焦点距離の逆数）は強くなり、長バックファーカスを達成することが困難となる。あるいはまた、第１群のパワー弱くなり、１１０°の画角を実現するために、第１群の有効径が大きくなり、第１群の小型化が難しくなる、長バックフォーカスを達成することも困難となる。
条件式（２）を、  0.7  ≦  (−F123w)／F4  ≦  0.75
とすると、本発明の効果をより確実なものとすることができる。
【００１６】
条件式（３）を、  30  ≦  Fw＊(E4w−F123w)／F4  ≦  35
とすると、本発明の効果をより確実なものとすることができる。
【００１７】
条件式（４）を、  8.0  ≦ F23w／（−F1）  ≦  12
とすると、本発明の効果をより確実なものとすることができる。
【発明の効果】
【００１８】
本発明の広角ズームレンズによれば、広角端の画角が１１０°を超えることができ、２倍以上のズーム比を実現でき、さらに広角端の焦点距離の３．７倍以上のバックフォーカスを有する広角ズームレンズを構成することができる。
【図面の簡単な説明】
【００１９】
【図１】第１実施形態の広角ズームレンズの光学構成図である。
【図２】第１実施形態の広角ズームレンズの広角端の球面収差、非点収差、歪曲収差及び倍率色収差を示す収差図である。
【図３】第１実施形態の広角ズームレンズの望遠端の球面収差、非点収差、歪曲収差及び倍率色収差を示す収差図である。
【図４】第２実施形態の広角ズームレンズの光学構成図である。
【図５】第２実施形態の広角ズームレンズの広角端の球面収差、非点収差、歪曲収差及び倍率色収差を示す収差図である。
【図６】第２実施形態の広角ズームレンズの望遠端の球面収差、非点収差、歪曲収差及び倍率色収差を示す収差図である。
【図７】第３実施形態の広角ズームレンズの光学構成図である。
【図８】第３実施形態の広角ズームレンズの広角端の球面収差、非点収差、歪曲収差及び倍率色収差を示す収差図である。
【図９】第３実施形態の広角ズームレンズの望遠端の球面収差、非点収差、歪曲収差及び倍率色収差を示す収差図である。
【図１０】第４実施形態の広角ズームレンズの光学構成図である。
【図１１】第４実施形態の広角ズームレンズの広角端の球面収差、非点収差、歪曲収差及び倍率色収差を示す収差図である。
【図１２】第４実施形態の広角ズームレンズの広角端の球面収差、非点収差、歪曲収差及び倍率色収差を示す収差図である。
【発明を実施するための最良の形態】
【００２０】
以下に、本発明の広角ズームレンズの実施形態及びその収差状況を説明する。
（第１実施形態）
第１実施形態にかかる広角ズームレンズは、図１に示す構成を有する。各レンズ面の曲率半径R（mm）、各レンズ中心厚及びレンズの空気間隔D（mm）、各レンズのd線における屈折率Nd及びアッベ数ABVの値は、以下のとおりである。
【００２１】
焦点距離：10.29〜15.5952〜23.3915
FNO：3.6〜4.15〜4.6
2ω：111.4〜85.4〜62.6
S            R          D            Nd      ABV
1 ASPH     90.9531     3.0000      1.74690   49.22
2 ASPH     13.3000    17.4155
3        -347.3422     1.1000      1.83944   42.72
4          27.7720     0.2500      1.51700   49.96
5 ASPH     32.9778     0.8225
6          20.1105     4.8835      1.70444   30.05
7          45.1356        D7
絞り        0.0000     1.6767
9         -70.4744     2.4522      1.69416   31.16
10         -14.1708     0.8000      1.88815   40.80
11         -37.7808     0.1500
12          33.1737     3.7557      1.59142   61.25
13         -14.2611     0.8000      1.81184   33.27
14         -28.6675        D14
15         -29.8948     0.8000      1.80831   46.50
16          23.7239     2.5836      1.93325   20.88
17         240.6296        D17
18          40.3874     4.8044      1.49845   81.61
19         -35.6422     0.1500
20          49.4590     0.8000      1.91048   31.31
21          17.3129    11.6398      1.49845   81.61
22         -14.5130     0.8000      1.91048   31.31
23         -20.5428     0.2000
24 ASPH    -34.8009     0.2000      1.51700  49.96
25         -31.4677     1.3000      1.83930  37.34
26         -38.5550
【００２２】
焦点距離：10.2935    15.5952    23.3915
可変間隔
D7             21.974     11.228     4.641
D14             1.000      7.723    14.519
D17            10.742      5.812     0.900
【００２３】
ASPHは、非球面を示し、以下の式（式１）で示される。
（式１）
2010249957.tif 000003
ｚ：非球面深さ
ｙ：高さ
Ｒ：近軸曲率半径
Ｋ、Ａ、Ｂ、Ｃ、Ｄ：非球面係数
【００２４】
非球面係数
面1
K  :  -21.703831
A  :0.137414E-04   B  :-.284986E-07   C  :0.473022E-10   D  :-.418229E-13
E  :0.157785E-16
面2
K  :   -0.864034
A  :0.743621E-06   B  :0.628016E-07   C  :-.187456E-09   D  :0.315824E-12
E  :0.773230E-15
面5
K  :    1.512115
A  :0.292118E-04   B  :-.127860E-06   C  :0.842074E-09   D  :-.326732E-11
E  :0.634290E-14
面24
K  :   -0.150085
A  :-.101962E-04   B  :0.106224E-07   C  :0.235188E-10   D  :0.177170E-12
【００２５】
第１実施形態の広角ズームレンズの各レンズの焦点距離は、以下のとおりである。
群の焦点距離
第1群：  -15.253
第2群：  32.183
第3群：  -38.7101
第4群：  32.558
Gr1a：  -21.94
Gr1b： -104.94
【００２６】
広角端で
第2，3群合成焦点距離：  148.639
第2，3，4群合成焦点距離：31.483
第1,2,3群合成群焦点距離：-23.355
第1,2,3群合成群と4群の主点位置間間隔：83.074
レンズ全長：94.1
望遠端で
第2、3群の合成焦点距離：56.887
【００２７】
第１実施形態の広角ズームレンズの第１1面の形状は、以下のとおりである。
有効径    法線角度
2010249957.tif 000004
【００２８】
第１実施形態の広角ズームレンズの条件式の値は、以下のとおりである。
条件式（１）  (E4w−F123w)／F4    ＝3.269
条件式（２）  (−F123w)／F4       ＝0.717
条件式（３）  Fw＊(E4w−F123w)／F4＝33.648
条件式（４）  F23w／（−F1）      ＝9.745
【００２９】
第１実施形態の広角ズームレンズの広角端の球面収差、非点収差、歪曲収差及び倍率色収差を図２を示す。第１実施形態の広角ズームレンズの望遠端の球面収差、非点収差、歪曲収差及び倍率色収差を図３を示す。
【００３０】
（第２実施形態）
第２実施形態の広角ズームレンズは、図４に示す構成を有する。各レンズ面の曲率半径R（mm）、各レンズ中心厚及びレンズの空気間隔D（mm）、各レンズのd線における、屈折率Nd及びアッベ数ABVは、以下のとおりである。
【００３１】
焦点距離：10.29〜15.60〜23.39
FNO：3.6〜4.15〜4.6
2ω：111.36〜85.71〜62.88
S            R          D         Nd       ABV
1 ASPH     98.2835     3.0000   1.74330   49.22
2 ASPH     13.3000    17.0621
3        -375.8017     1.1000   1.83481   42.72
4          26.2992     0.2500   1.51460   49.96
5 ASPH     31.3128     0.8586
6          19.4744     4.2180   1.69895   30.05
7          44.8215      D7
8           0.0000     1.6811
9         -69.6742     2.4945   1.68893   31.16
10         -13.8558     0.8000   1.88300   40.80
11         -37.5514     0.1500
12          33.6029     3.7863   1.58913   61.25
13         -14.1772     0.8000   1.80610   33.27
14         -28.4616      D14
15         -31.0253     0.8000   1.80420   46.50
16          23.9527     2.5703   1.92286   20.88
17         237.9034      D17
18          41.0664     4.5125   1.49700   81.61
19         -35.8367     0.1500
20          49.9837     0.9000   1.90366   31.31
21          17.1665    11.7603   1.49700   81.61
22         -14.5000     1.1000   1.90366   31.31
23         -21.0822     0.2000
24 ASPH    -50.4122     0.2000   1.51460   49.96
25         -44.1195     1.8000   1.83400   37.34
26         -53.8351
【００３２】
焦点距離：10.29      15.60      23.40
可変間隔
D7             22.0922     11.2672    4.7266
D14             0.9588      7.5245   14.2504
D17            10.8553      5.8392    0.800
【００３３】
非球面係数
面1
K  :  -30.868200
A  :0.147706E-04   B  :-.260370E-07   C  :0.377473E-10   D  :-.300023E-13
E  :0.107463E-16
面2
K  :   -1.240297
A  :0.207897E-04   B  :0.298769E-07   C  :0.267684E-09   D  :-.163367E-11
E  :0.372598E-14
面5
K  :    2.187192
A  :0.313924E-04   B  :-.202309E-06   C  :0.158321E-08   D  :-.733956E-11
E  :0.139279E-13
面24
K  :   -0.780042
A  :-.942956E-05   B  :0.141825E-07   C  :0.244817E-10   D  :0.194500E-12
【００３４】
第２実施形態の広角ズームレンズの各レンズの焦点距離は、以下のとおりである。
群の焦点距離
第1群：  -15.085
第2群：  32.5574
第3群：  -40.0929
第4群：  33.0051
Gr1a：  -21.0097
Gr1b： -102.427
【００３５】
広角端で
第2，3群合成焦点距離：  140.206
第2，3，4群合成焦点距離：31.626
第1,2,3群合成群焦点距離：-24.033
第1,2,3群合成群と4群の主点位置間間隔：86.032
レンズ全長：94.1
望遠端で
第2、3群の合成焦点距離：57.754
【００３６】
第２実施形態の広角ズームレンズの第１1面の形状は、以下のとおりである。
有効径    法線角度
2010249957.tif 000005
【００３７】
第２実施形態の広角ズームレンズの条件式の値は、以下のとおりである。
条件式（１）  (E4w−F123w)／F4    ＝3.335
条件式（２）  (−F123w)／F4       ＝0.728
条件式（３）  Fw＊(E4w−F123w)／F4＝34.327
条件式（４）  F23w／（−F1）     ＝9.294
【００３８】
第２実施形態の広角ズームレンズの広角端の球面収差、非点収差、歪曲収差及び倍率色収差を図５を示す。第２実施形態の広角ズームレンズの望遠端の球面収差、非点収差、歪曲収差及び倍率色収差を図６を示す。
【００３９】
（第３実施形態）
第１実施形態にかかる広角ズームレンズは、図７に示す構成を有する。各レンズ面の曲率半径R（mm）、各レンズ中心厚及びレンズの空気間隔D（mm）、各レンズのd線における屈折率Nd及びアッベ数ABVの値は、以下のとおりである。
【００４０】
焦点距離：10.29〜15.60〜23.39
FNO：3.6〜4.15〜4.6
2ω：111.38〜85.4〜62.63
S            R          D           Nd       ABV
1 ASPH     91.2892     3.0000     1.74330   49.22
2 ASPH     13.3000    17.1746
3        -550.1946     1.1000     1.83481   42.72
4          26.8414     0.2500     1.51460   49.96
5 ASPH     31.7796     0.8380
6          19.6685     4.8948     1.69895   30.05
7          43.3886      D7
8           0.0000     1.6759
9         -70.7449     2.4534     1.68893   31.16
10         -14.1775     0.8000     1.88300   40.80
11         -37.9248     0.1500
12          33.1085     3.7574     1.58913   61.25
13         -14.2673     0.7937     1.80610   33.27
14         -28.7457      D14
15         -29.9856     0.8000     1.80420   46.50
16          23.8293     2.5887     1.92286   20.88
17         241.4124      D17
18          40.5319     4.7504     1.49700   81.61
19         -35.4136     0.1500
20          49.8255     0.9000     1.90366   31.31
21          17.3000    11.4746     1.49700   81.61
22         -14.5000     0.9000     1.90366   31.31
23         -20.5448     0.2000
24 ASPH    -34.3632     0.2000     1.51460   49.96
25         -31.0708     1.3000     1.83400   37.34
26         -37.8865
【００４１】
焦点距離：10.29      15.60      23.40 
可変間隔
D7            22.252     11.5339    4.8871
D14            1.000      7.8478   14.5915
D17           10.6954     5.7013    0.800
【００４２】
非球面係数
面1
K  :  -23.358778
A  :0.138306E-04   B  :-.284728E-07   C  :0.473046E-10   D  :-.418342E-13
E  :0.157340E-16
面2
K  :   -0.865462
A  :0.617175E-06   B  :0.624054E-07   C  :-.184300E-09   D  :0.328276E-12
E  :0.773908E-15
面5
K  :    1.536049
A  :0.293177E-04   B  :-.126814E-06   C  :0.844851E-09   D  :-.324948E-11
E  :0.634290E-14
面24
K  :   -0.133768   KC :     100
A  :-.102523E-04   B  :0.105589E-07   C  :0.225709E-10   D  :0.159981E-12
【００４３】
第３実施形態の広角ズームレンズの各レンズの焦点距離は、以下のとおりである。
群の焦点距離
第1群：  -15.297
第2群：  32.268
第3群：  -38.818
第4群：  32.560
Gr1a：  -21.294
Gr1b： -106.239
【００４４】
広角端で
第2，3群合成焦点距離：  148.971
第2，3，4群合成焦点距離：31.486
第1,2,3群合成群焦点距離：-23.429
第1,2,3群合成群と4群の主点位置間間隔：83.241
レンズ全長：94.0988
望遠端で
第2、3群の合成焦点距離：56.936
【００４５】
第３実施形態の広角ズームレンズの第１1面の形状は、以下のとおりである。
有効径    法線角度
2010249957.tif 000006
【００４６】
第３実施形態の広角ズームレンズの条件式の値は、以下のとおりである。
条件式（１）  (E4w−F123w)／F4      ＝3.276
条件式（２）  (−F123w)／F4         ＝0.720
条件式（３）    Fw＊(E4w−F123w)／F4＝33.723
条件式（４）    F23w／（−F1）      ＝9.739
【００４７】
第３実施形態の広角ズームレンズの広角端の球面収差、非点収差、歪曲収差及び倍率色収差を図８を示す。第１実施形態の広角ズームレンズの望遠端の球面収差、非点収差、歪曲収差及び倍率色収差を図９を示す。
【００４８】
（第４実施形態）
第４実施形態にかかる広角ズームレンズは、図１０に示す構成を有する。各レンズ面の曲率半径R（mm）、各レンズ中心厚及びレンズの空気間隔D（mm）、各レンズのd線における屈折率Nd及びアッベ数ABVの値は、以下のとおりである。
【００４９】
焦点距離：10.295〜15.598〜23.393
FNO：3.6〜4.15〜4.6
2ω：111.42〜85.5〜62.84
S            R          D              Nd       ABV
1 ASPH     72.8710     3.0000        1.74330   49.22
2 ASPH     12.9000    16.2015
3         770.1839     1.1000        1.88300   40.80
4          26.0522     0.3000        1.53610   41.21
5 ASPH     30.6791     1.1966
6          20.4544     4.7353        1.69895   30.05
7          43.9685      D7
8           0.0000     1.5074
9         -68.4574     2.5124        1.68893   31.16
10         -12.6110     1.7924        1.88300   40.80
11         -37.3079     0.1500
12          34.8661     3.7882        1.58913   61.25
13         -13.8945     0.8000        1.80610   33.27
14         -26.8129      D14
15         -30.4122     0.8000        1.77250   49.62
16          20.1071     2.8524        1.84666   23.78
17         292.4999      D17
18          45.2832     4.3580        1.49700   81.61
19         -36.2850     0.1500
20          48.9769     0.9000        1.90366   31.31
21          17.4000    12.2843        1.49700   81.61
22         -14.3000     1.1000        1.90366   31.31
23         -20.2760     0.2000
24 ASPH    -37.3436     0.3500        1.51460   49.96
25         -32.4182     1.5000        1.58144   40.89
26         -44.7821
【００５０】
焦点距離：10.295      15.598      23.393
可変間隔
D7            21.1006     10.4692    3.7599
D14            0.8270      7.7520   14.2056
D17           11.0939      5.8381    0.800
【００５１】
非球面係数
面1
K  :   -4.855874
A  :0.147578E-04   B  :-.354016E-07   C  :0.454072E-10   D  :-.116025E-13
E  :0.227158E-16   F  :-.308920E-19   G  :-.677424E-22   H  :-.335578E-25
J  :0.137873E-27
面2
K  :   -1.110553
A  :0.277891E-04   B  :0.404370E-07   C  :0.612679E-10   D  :0.362235E-12
E  :-.110342E-13   F  :0.528104E-17   G  :0.320816E-18   H  :0.145731E-21
J  :-.347259E-23
面5
K  :    0.335030
A  :0.226449E-04   B  :-.966072E-07   C  :0.176373E-09   D  :0.114032E-12
E  :0.138279E-14
面24
K  :   -0.608663
A  :-.983362E-05   B  :0.214587E-07   C  :-.114789E-09   D  :0.130510E-11
E  :-.267583E-14
【００５２】
第４実施形態の広角ズームレンズの各レンズの焦点距離は、以下のとおりである。
群の焦点距離
第1群：  -15.199
第2群：  32.3369
第3群：  -40.4942
第4群：  33.2409
Gr1a：  -21.5478
Gr1b：  -95.6574
【００５３】
広角端で
第2，3群合成焦点距離：  143.052
第2，3，4群合成焦点距離：31.312
第1,2,3群合成群焦点距離：-24.561
第1,2,3群合成群と4群の主点位置間間隔：87.987
レンズ全長：94.6
望遠端で
第2、3群の合成焦点距離：58.115
【００５４】
第４実施形態の広角ズームレンズの第１1面の形状は、以下のとおりである。
有効径    法線角度
2010249957.tif 000007
【００５５】
第４実施形態の広角ズームレンズの条件式の値は、以下のとおりである。
条件式（１）  (E4w−F123w)／F4      ＝3.385
条件式（２）  (−F123w)／F4         ＝0.739
条件式（３）    Fw＊(E4w−F123w)／F4＝34.857
条件式（４）    F23w／（−F1）      ＝9.412
【００５６】
第４実施形態の広角ズームレンズの広角端の球面収差、非点収差、歪曲収差及び倍率色収差を図１１を示す。第１実施形態の広角ズームレンズの望遠端の球面収差、非点収差、歪曲収差及び倍率色収差を図１２を示す。
【００５７】
特許文献１の第１実施形態の条件式の値は以下のとおりである。
条件式（１）  (E4w−F123w)／F4      ＝7.336
条件式（２）  (−F123w)／F4         ＝1.825
条件式（３）    Fw＊(E4w−F123w)／F4＝75.565
条件式（４）    F23w／（−F1）      ＝4.753
【００５８】
特許文献１の第２実施形態の条件式の値は以下のとおりである。
条件式（１）  (E4w−F123w)／F4      ＝5.557
条件式（２）  (−F123w)／F4         ＝1.343
条件式（３）    Fw＊(E4w−F123w)／F4＝57.240
条件式（４）    F23w／（−F1）      ＝5.412
【００５９】
特許文献１の第３実施形態の条件式の値は以下のとおりである。
条件式（１）  (E4w−F123w)／F4      ＝5.658
条件式（２）  (−F123w)／F4         ＝1.313
条件式（３）    Fw＊(E4w−F123w)／F4＝58.278
条件式（４）    F23w／（−F1）      ＝5.853
【００６０】
特許文献１の第４実施形態の条件式の値は以下のとおりである。
条件式（１）  (E4w−F123w)／F4      ＝5.534
条件式（２）  (−F123w)／F4         ＝1.293
条件式（３）    Fw＊(E4w−F123w)／F4＝56.996
条件式（４）    F23w／（−F1）      ＝5.925
【００６１】
特許文献１の第５実施形態の条件式の値は以下のとおりである。
条件式（１）  (E4w−F123w)／F4      ＝5.433
条件式（２）  (−F123w)／F4         ＝1.268
条件式（３）    Fw＊(E4w−F123w)／F4＝55.965
条件式（４）    F23w／（−F1）      ＝6.035
【００６２】
特許文献１の第６実施形態の条件式の値は以下のとおりである。
条件式（１）  (E4w−F123w)／F4     ＝5.018
条件式（２）  (−F123w)／F4        ＝1.161
条件式（３）    Fw＊(E4w−F123w)／F4＝51.683
条件式（４）    F23w／（−F1）      ＝6.297
【符号の説明】
【００６３】
Ｇｒ１Ａ       第１レンズ群の前群
Ｇｒ１Ｂ       第１レンズ群の後群
【図１】
2010249957.tif 000008
【図２】
2010249957.tif 000009
【図３】
2010249957.tif 000010
【図４】
2010249957.tif 000011
【図５】
2010249957.tif 000012
【図６】
2010249957.tif 000013
【図７】
2010249957.tif 000014
【図８】
2010249957.tif 000015
【図９】
2010249957.tif 000016
【図１０】
2010249957.tif 000017
【図１１】
2010249957.tif 000018
【図１２】
2010249957.tif 000019